(57)【要約】  【課題】  無線通信システムに組み込まれたリピータが下位通信回線に対する終端抵抗の抵抗値を最良な値に自動的に設定できる技術を提供する。  【解決手段】  上位回線インタフェース部２０４を介して上位回線に、下位回線インタフェース部２０６を介して下位回線にそれぞれ接続され、上位回線と下位回線との間のデータの授受を良好に行わせるリピータ２１，２２であって、抵抗値が可変にされている下位回線に対する可変終端抵抗２０６Ｒと、可変終端抵抗の抵抗値を予め定められた範囲内で変化させつつ、下位回線にループバック試験を行い、下位回線とのデータの授受を良好に行うことができる可変終端抵抗の抵抗値を選択するために、ＲＯＭ２０３に格納された制御プログラムを実行するＣＰＵ２０１とからなる抵抗値選択部とを有する。    【選択図】  図１
2006180017.tif 000002
【特許請求の範囲】
【請求項１】
上位回線インタフェース部を介して上位回線に、下位回線インタフェース部を介して下位回線にそれぞれ接続され、上位回線と下位回線との間のデータの授受を良好に行わせるリピータにおいて、
抵抗値が可変にされている下位回線に対する可変終端抵抗と、
可変終端抵抗の抵抗値を予め定められた範囲内で変化させつつ、下位回線にループバック試験を行い、下位回線とのデータの授受を行うことができる可変終端抵抗の抵抗値を自動的に選択する抵抗値選択部とを有することを特徴とするリピータ。
【請求項２】
前記抵抗値選択部が行うループバック試験において、抵抗値選択部は、テスト用のデータパターンを下位回線に送信し、それに対応して下位回線から折り返されるデータパターンを受信し、送信したデータパターンと受信したデータパターンとを比較し、両者が一致すれば正常と見做す動作を予め定められた回数だけ繰り返し、全回数において正常と見なされた場合には、その抵抗値を良好にデータの授受を行える可変終端抵抗の抵抗値として自動的に選択する請求項１記載のリピータ。
【請求項３】
前記ループバック試験において、全回数において正常と見なされる良好な場合が無かったときには、良好な場合に最も近い場合の抵抗値を可変終端抵抗の抵抗値として選択する請求項２記載のリピータ。
【発明の詳細な説明】
【技術分野】
【０００１】
本発明は、リピータに関し、特に、上位回線インタフェース部を介して上位回線に、下位回線インタフェース部を介して下位回線にそれぞれ接続され、上位回線と下位回線との間のデータの授受を良好に行わせるリピータに関する。
【背景技術】
【０００２】
図４は、従来のリピータを用いた無線通信システムを示すブロック図である。この無線通信システムにおいて、交換機１０は、一方の伝送線路を介してリピータ１２１と基地局３１とに接続され、携帯機４１にサービスを提供するとともに、他方の伝送線路を介してリピータ１２２と基地局３２とに接続され、携帯機４２にサービスを提供している。交換機１０とリピータ１２１，１２２との間の伝送路においては、交換機側に終端抵抗１１１，１１２がそれぞれ配置されている。リピータ１２１，１２２と基地局３１，３２との間の伝送路においては、リピータ側に終端抵抗１２１ａ，１２２ａがそれぞれ配置されている。
【０００３】
上述のように終端抵抗１１１，１１２，１２１ａ，１２２ａを配置する目的は交換機１０と基地局３１，３２との間の回線の品質を良好にたもつためである。この場合、最適な終端抵抗の抵抗値は、交換機１０と基地局３１，３２との間に用いられるケーブルの材質や太さなどによって変化する。したがって実際に終端抵抗を配置する場合には、交換機、リピータ、基地局を配置し、それらの間に回線を敷設した後に、手動でループバック試験を行いつつ、良好なデータの授受ができる終端抵抗１１１，１１２，１２１ａ，１２２ａの抵抗値を選択していた。
【発明の開示】
【発明が解決しようとする課題】
【０００４】
しかし、上述した従来の技術では終端抵抗の抵抗値を選択するために、ループバック試験や終端抵抗取り付け作業を全て手動で行わなければならず、余分な時間がかかり、作業効率が悪いという問題がある。
【０００５】
本発明は上述した問題点を解決するためになされたものであり、上述したような無線通信システムにリピータが組み込まれて起動された場合に、リピータが下位通信回線に対する終端抵抗の抵抗値を最良な値に自動的に設定できる技術を提供することを目的とする。
【課題を解決するための手段】
【０００６】
上述した課題を解決するため、本発明に係るリピータは、上位回線インタフェース部を介して上位回線に、下位回線インタフェース部を介して下位回線にそれぞれ接続され、上位回線と下位回線との間のデータの授受を良好に行わせるリピータであって、抵抗値が可変にされている下位回線に対する可変終端抵抗と、可変終端抵抗の抵抗値を予め定められた範囲内で変化させつつ、下位回線にループバック試験を行い、下位回線とのデータの授受を行うことができる可変終端抵抗の抵抗値を自動的に選択する抵抗値選択部とを有する。
【０００７】
このような構成によれば、抵抗値選択部は、可変終端抵抗の抵抗値を予め定められた範囲内で変化させつつ、下位回線にループバック試験を行い、下位回線とのデータの授受を良好に行うことができる抵抗値を自動的に選択できる。このことにより、無線通信システムにこのリピータが組み込まれて起動された場合、リピータは、下位通信回線に対する終端抵抗の抵抗値をデータ授受に関して最良である値に自動的に設定することができる。
【０００８】
また、この発明においては、前記抵抗値選択部が行うループバック試験において、抵抗値選択部は、テスト用のデータパターンを下位回線に送信し、それに対応して下位回線から折り返されるデータパターンを受信し、送信したデータパターンと受信したデータパターンとを比較し、両者が一致すれば正常と見做す動作を予め定められた回数だけ繰り返し、全回数において正常と見なされた場合には、その抵抗値を良好にデータの授受を行える可変終端抵抗の抵抗値として選択する。
【０００９】
さらに、この発明においては、前記ループバック試験において、全回数において正常と見なされる良好な場合が無かったときには、良好な場合に最も近い場合の抵抗値を可変終端抵抗の抵抗値として選択する。
【発明の効果】
【００１０】
以上に詳述したように本発明によれば、抵抗値選択部は、可変終端抵抗の抵抗値を予め定められた範囲内で変化させつつ、下位回線にループバック試験を行い、下位回線とのデータの授受を良好に行うことができる抵抗値を選択できる。このことにより、無線通信システムにこのリピータが組み込まれて起動された場合、リピータは、下位通信回線に対する終端抵抗の抵抗値を最良な値に自動的に設定することができ、ひいては、作業に余分な時間がかかることが無く作業効率が向上する。
【発明を実施するための最良の形態】
【００１１】
以下、本発明のリピータの実施の形態について図面を参照しつつ説明する。図１は、本発明のリピータの実施の形態が使用された無線通信システムを示すブロック図、図２は、図１の無線通信システムに使用されているリピータを詳細に示すブロック図、図３は、図１および図２で示されるリピータの動作を説明するためのフローチャートである。交換機１０は、一方の伝送線路を介してリピータ２１と基地局３１とに接続され、携帯機４１にサービスを提供するとともに、他方の伝送線路を介してリピータ２２と基地局３２とに接続され、携帯機４２にサービスを提供している。また、各伝送路の交換機側には終端抵抗１１，１２が配置されている。また、リピータ２１，２２は、ＣＰＵ２０１と、ＲＡＭ２０２と、ＲＯＭ２０３と、上位回線インタフェース部２０４と、回線増幅部２０５と、下位回線インタフェース部２０６とをそれぞれ有する。
【００１２】
上述のリピータ２１，２２において、ＣＰＵ２０１は、制御プログラムを格納しているＲＯＭ２０３やプログラム変数領域を提供するＲＡＭ２０２を用いて各部を制御する。この例では、下位回線インタフェース部２０６は、可変終端抵抗を備えており、ＣＰＵ２０１と協働して抵抗値選択部を構成し、ＣＰＵ２０１の制御の下で、可変終端抵抗の抵抗値を自動的に最適値に調整できるようにされている。上位回線インタフェース部２０４は、ループ回路を有し、交換機１０からのループバック試験のためのデータを折り返す機能を有しており、リピータ２１，２２は、この機能を利用して交換機１０からのループバック試験を実行可能にしている。下位回線インタフェース部２０６は、ループ回路を有し、下位回線（この例においては、基地局３１，３２）に対してループバック試験を自動的に行うことができるように構成されている。
【００１３】
次に、上述のＣＰＵの制御の下におけるリピータによる各部に対する制御動作について図３を参照して説明する。図１の無線通信システムが起動されると、ＣＰＵ２０１の制御の下で、下位回線インタフェース部２０６は、下位回線に対する可変終端抵抗２０６Ｒの抵抗値を無限大（未接続状態）に設定（初期設定）する（Ｓ１）。初期設定の後に、下位回線に対してループバック試験を行う（Ｓ２）。この場合のループバック試験においては、リピータが下位回線に対して一定のデータパターンを送信し、基地局で折り返させ、折り返させたデータパターンを受信し、受信したデータパターンと、先に送信したデータパターンとを比較チェックする。この試験を予め定められた回数だけ実施し、その結果、両方のデータパターンが一致し、下位回線に対する可変終端抵抗２０６Ｒの抵抗値の設定が現在の抵抗値の設定で良好であると看做されるか否かを判断する（Ｓ３）。
【００１４】
ステップＳ３の判断の結果、下位回線に対する設定値として可変終端抵抗２０６Ｒの現在の抵抗値の設定で良好であると看做される場合には、その旨の報告をＣＰＵ２０１に行い、ＣＰＵ２０１はその旨をさらに上位回線（この例では交換機１０）に報告し（Ｓ１１）、その状態で動作を行う。しかし、ステップＳ３の判断の結果、現在の可変終端抵抗２０６Ｒの抵抗値の設定では良好でないと看做される場合には、抵抗値を１００オーム（Ω）に設定し（Ｓ４）、ループバック試験を行う（Ｓ５）。試験の結果、現在の抵抗値の設定で良好であると看做されるか否かを判断する（Ｓ６）。
【００１５】
ステップＳ６の判断の結果、現在の抵抗値の設定で良好であると判断される場合には、前述のステップＳ１１に移行する。しかし、ステップＳ６の判断の結果、現在の抵抗値の設定では良好でないと判断される場合には、下位回線に対する抵抗値を１０オームだけ下げる（Ｓ７）。１０オーム抵抗値を下げても、下位回線に対する抵抗値がまだ３０オーム以上であるか否かを判断する（Ｓ８）。下位回線に対する抵抗値がまだ３０オーム以上であると判断された場合には、ステップＳ５に戻って、抵抗値を１０オーム下げたループバック試験を行う。このようなループバック試験を繰り返して行った場合に、ステップＳ６の判断において、現在の抵抗値の設定で良好であると判断される場合には、ステップＳ１１に移行する。
【００１６】
しかし、ステップＳ８において、下位回線に対する抵抗値が３０オーム未満であると判断された場合には、それまでに抵抗値を変化させて行った結果であって、良好でないと判断されたループバック試験の結果を参照し、良好でないと判断されたループバック試験の結果のうち最も良好な結果に近い結果を得た場合の抵抗値を下位回線に対する抵抗値として設定し（Ｓ９）、その旨の報告をＣＰＵ２０１に行い、ＣＰＵ２０１はその旨をさらに上位回線（交換機１０）に報告し（Ｓ１０）、その状態で動作を行う。
【００１７】
なお、上述の例では、可変終端抵抗の自動設定をリピータと下位通信回線との間で実現しているが、上位通信回線（例えば、交換機１０）とリピータとの間に実現させるようにしてもよいことはいうまでもない。また、上述の設定値に関して、例えば、“１００オーム”とか“３０オーム”といった設定値は、経験によって提案された一例であって、実験等の実際の値によって調整する必要があると判断された場合にはそのようにすることが好ましい。
【図面の簡単な説明】
【００１８】
【図１】図１は、本発明のリピータの実施の形態が使用された無線通信システムを示すブロック図である。
【図２】図１の無線通信システムに使用されているリピータを詳細に示すブロック図である。
【図３】図１および図２で示されるリピータの動作を説明するためのフローチャートである。
【図４】リピータを使用した無線通信システムの従来例を示すブロック図である。
【符号の説明】
【００１９】
１０  交換機、１１，１２，２０４Ｒ，２０６Ｒ  終端抵抗、２１，２２  リピータ、３１，３２  基地局、４１，４２  携帯機、２０１  ＣＰＵ、２０２  ＲＡＭ、２０３  ＲＯＭ、２０４  上位回線インタフェース部、２０５  回線増幅部、２０６  下位回線インタフェース部。
【図１】
2006180017.tif 000003
【図２】
2006180017.tif 000004
【図３】
2006180017.tif 000005
【図４】
2006180017.tif 000006